(57)【要約】【課題】本発明の目的は、接眼部と発光手段を持つ電子機器筐体が、特定の姿勢で使用されている場合には、発光量を抑えるように電子機器筐体の発光部が制御されることを可能にした電子機器を提供することである。【解決手段】  使用用途に応じて、筐体姿勢の使い分けが必要な電子機器（１）であって、前記電子機器（１）は筐体上に使用者が眼部を接して使用する接眼部（１５）と、発光状態の制御が可能な発光部（１９）と、前記電子機器（１）筐体の姿勢を検出する姿勢検出手段（２０）とを有し、前記発光部（１９）の発光中に前記姿勢検出手段（２０）により前記電子機器（１）筐体が予め定められた特定の姿勢を取っていると判定された場合は、それ以外の姿勢を取っていると判定された場合に比べ、前記発光部（１９）の発光量を抑えるように制御することを特徴とした。【選択図】  図１
2018077369.tif 000002
【特許請求の範囲】
【請求項１】
使用用途に応じて、筐体姿勢の使い分けが可能な電子機器（１）であって、前記電子機器（１）は筐体上に使用者が眼部を接して使用する接眼部（１５）と、発光状態の制御が可能な発光部（１９）と、前記電子機器（１）筐体の姿勢を検出する姿勢検出手段（２０）とを有し、前記発光部（１９）の発光中に前記姿勢検出手段（２０）により前記電子機器（１）筐体が予め定められた特定の姿勢を取っていると判定された場合は、それ以外の姿勢を取っていると判定された場合に比べ、前記発光部（１９）の発光量を抑えるように制御することを特徴とする電子機器（１）。
【請求項２】
使用用途に応じて、筐体姿勢の使い分けが可能な電子機器（１）であって、前記電子機器（１）は筐体上に使用者が眼部を接して使用する接眼部（１５）と、発光状態の制御が可能な発光部（１９）と、前記電子機器（１）筐体の姿勢を検出する姿勢検出手段（２０）と、前記接眼部（１５）に接眼された眼球が左右どちらの眼球であるかを判定する眼球の左右判定手段（１５１）とを有し、前記発光部（１９）の発光中に前記姿勢検出手段（２０）により前記電子機器（１）筐体が予め定められた特定の姿勢を取っており、尚且つ前記眼球の左右判定手段（１５１）により予め定められた側の眼球が接眼されていると判定された場合、それ以外の姿勢もしくは反対側の眼球で接眼されていると判定された場合に比べ、前記発光部（１９）の発光量を抑えるように制御することを特徴とする電子機器（１）。
【請求項３】
請求項１または２に記載の電子機器（１）であって、前記電子機器（１）筐体の前記予め定められた特定の姿勢とは、前記発光部（１９）が前記接眼部（１５）よりも下に来る筐体姿勢であることを特徴とする電子機器（１）。
【請求項４】
請求項１または２に記載の電子機器（１）であって、前記電子機器（１）は一つ以上の操作部材（１３）を有し、前記発光部（１９）の発光量を通常時の発光量よりも抑える制御は、前記操作部材（１３）による特定の操作が行われることを契機として開始されることを特徴とする電子機器（１）。
【請求項５】
請求項１または２に記載の電子機器（１）であって、前記電子機器（１）は三脚取り付け穴（２１）と前記三脚取り付け穴（２１）に三脚が装着されているかを検知する三脚検知手段（２１１）有し、前記三脚検知手段（２１１）により電子機器（１）筐体に三脚が装着されていると判定された場合には、前記発光部（１９）の発光量を通常時の発光量よりも抑える制御を行わないことを特徴とする電子機器（１）。
【発明の詳細な説明】
【技術分野】
【０００１】
本発明は、発光手段を有する電子機器に関し、特に電子機器筐体上に配置された発光手段の発光制御方法に関するものである。
【背景技術】
【０００２】
従来、電子機器の稼働状況を使用者に通知する手段として、電子機器の筐体上に配置された発光手段を用いて、予め特定の情報と紐づけられた発光仕様で発光を行うことで、使用者への通知を行う方法が広く用いられている。
【０００３】
例えば、電源のオン・オフ状態、機器内部の記憶領域へのアクセス状況、他の電子機器との通信状況などの稼働状況を、電子機器筐体の外観面に配置された発光手段の点灯、点滅、色の切り替え等の制御を行って使用者へ通知する。発光手段にはＬＥＤランプが用いられるのが一般的で、電子機器筐体の外観面に配置された、光透過性を持つ窓部材と組み合わせて使用される。また、液晶装置と発光手段を組み合わせた表示装置を用いて、多量の情報を使用者に通知することも行われている。
【０００４】
しかしながら、使用者が電子機器に顔を近づけて使用する必要が有る場合、使用者の眼部と発光手段の距離が近い状態で使用すると、使用者にとって発光手段による発光が眩しく、煩わしく感じる可能性がある。これを解決する手段として例えば、特許文献１では電子機器である撮像装置が接眼部であるファインダ部へ接近物を検知し、ファインダ部近傍の表示部を非表示に切り替え、かつ撮像装置筐体の姿勢の変化量から接近物の誤検知を防ぐ方法が開示されている。
【先行技術文献】
【特許文献】
【０００５】
【特許文献１】特開2012-226066号公報
【発明の概要】
【発明が解決しようとする課題】
【０００６】
しかしながら、上述の特許文献に開示された従来技術では、電子機器に接近物の検知手段を搭載させる必要がある。また、使用者の電子機器の使用状況、特に使用者の眼部と発光手段を担う発光部がどのような位置関係で使用されているかの考慮が十分になされていない。このため、不必要な状況で発光手段の発光が抑えられるよう制御され、電子機器の使用状況の通知が十分に果たされない可能性があった。
【０００７】
そこで、本発明の目的は、接眼部と発光手段を持つ電子機器筐体が、特定の姿勢で使用されている場合には、発光量を抑えるように電子機器筐体の発光部が制御されることを可能にした電子機器を提供することである。
【課題を解決するための手段】
【０００８】
上記目的を達成するために、本発明の電子機器（１）は、使用用途に応じて、筐体姿勢の使い分けが必要な電子機器（１）であって、前記電子機器（１）は筐体上に使用者が眼部を接して使用する接眼部（１５）と、発光状態の制御が可能な発光部（１９）と、前記電子機器（１）筐体の姿勢を検出する姿勢検出手段（２０）とを有し、前記発光部（１９）の発光中に前記姿勢検出手段（２０）により前記電子機器（１）筐体が予め定められた特定の姿勢を取っていると判定された場合は、それ以外の姿勢を取っていると判定された場合に比べ、前記発光部（１９）の発光量を抑えるように制御することを特徴とする。
【発明の効果】
【０００９】
本発明によれば、接眼部と発光手段とを持つ電子機器筐体が、特定の姿勢で使用されている場合には、発光量を抑えるように電子機器筐体の発光部が制御されることを可能にした電子機器を提供することが出来る。
【図面の簡単な説明】
【００１０】
【図１】本発明の実施形における電子機器と使用者の保持姿勢を示す模式図。
【図２（ａ）】本発明の実施形における発光窓部を示す断面図。
【図２（ｂ）】本発明の実施形における発光窓部を示す断面図。
【図３】本発明の実施形における電子機器を示す図。
【図４】本発明の実施形、実施例（１）の電子機器の制御を表したフローチャート図。
【図５】本発明の実施形、実施例（２）の電子機器の接眼窓部を示す図。
【発明を実施するための形態】
【００１１】
以下に、本発明の好ましい実施の形態を、添付の図面に基づいて詳細に説明する。
［実施例１］
以下、図２を参照して、本発明の第1の実施例による電子機器である撮像装置1について説明する。以下、本実施形で述べる左右は撮像装置1の筐体を背面から見た状態での左右を言う。
【００１２】
図２(a)は撮像装置１を上面から見た図である。撮像装置１筐体の右側にはグリップ部１２が配置されており、撮像装置１の使用者はグリップ部１２を右手で握ることで撮像装置１を容易に保持することが出来る。グリップ部１２の上部には装置使用者がグリップ部１２を右手で握った状態でも、右手指で容易に操作可能な位置に撮影指示釦１３が配置されている。
【００１３】
撮像装置1は、撮影指示釦１３が第一のストローク押下されることにより合焦を行い、第一のストロークより深い第二のストローク押下されることにより撮像を行う。また、撮影指示釦１３の周囲には撮像装置１の様々な設定を行うための天面操作部材群１４が配置されている。
【００１４】
図２(b)は撮像装置１の背面を左上から見た図である。撮像装置１筐体の背面上部には接眼窓部１５（ファインダー）が配置されており、接眼窓部１５の窓内部には撮像装置１の撮像光学系が捉えている被写体画像（スルー画像）を表示することが可能である。撮像装置1の使用者は接眼窓部１５に自らの眼を接眼し、窓内部を覗くことによって被写体画像の確認を行う。また、撮像装置１筐体の背面には表示装置１６が配置されており、撮像装置１の撮像光学系が捉えている被写体画像もしくは撮像装置１の設定情報を表示することが可能である。
【００１５】
撮像装置1は装置使用時に撮像光学系が捉えている被写体画像を接眼窓部１５内に表示するか、表示装置１６に表示するかを選択可能な撮影モードを有し、ユーザーの撮影モードの設定に従い、選択された側に被写体画像を表示する。撮像装置1は他の電子機器との無線通信手段を実現する無線通信装置１７を筐体内に有する。無線通信装置１７では他の電子機器と無線通信可能な状態において、撮像装置1の取得した画像、撮像装置1の設定状況等の情報の送受信が行われる。また、撮像装置1筐体背面には無線通信釦１８が配置されており、無線通信釦１８の押下操作により、無線通信装置１７の使用指示がなされる。
【００１６】
また、撮像装置1筐体の天面左側には無線通信装置１７の稼働状況を発光によって使用者に通知する手段をとして無線ランプ部１９が配置される。具体的には他の電子機器との接続状況、データの転送状況等に応じて、無線ランプ部１９を定められた発光仕様で発光させ、無線通信装置１７の稼働状況を使用者に通知する。
【００１７】
無線ランプ部１９は天面に配置されているため、使用者が撮像装置1筐体の背面に位置した状態で撮像装置１筐体を保持しても、また撮像装置1筐体を保持せず机上に置いた状態でも無線ランプ部１９を容易に視認することが出来る。さらに、無線ランプ部１９は天面左側に配置されているため、天面右側の天面操作部材群１４の操作による撮像装置1の設定状況表示との混同を避けることが出来る。
【００１８】
また、撮像装置１はジャイロセンサー２０を有し、ジャイロセンサー２０は撮像装置1筐体の角速度を検出する。撮像装置1筐体の角速度の検出結果は、撮像装置1筐体の姿勢判定等に利用される。また、撮像装置１筐体の底面部には三脚を取り付けるためのネジ穴である三脚取り付け穴２１が配置される。
【００１９】
図３は無線ランプ部１９の断面図である。無線ランプ部１９は光透過性の素材で成型された無線ランプ窓１９１と無線ランプ窓１９１の直下に配置された発光手段であるＬＥＤ１９２とから構成されている。無線ランプ窓１９１は、光線非透過の素材で成型され撮像装置１の外観面を構成する外装部材１１に開けられた貫通穴である外装貫通穴１１１と嵌合する。無線ランプ窓１９１の外観面は外装部材１１の外観面から一段凹んだ位置にあり、無線ランプ窓１９１の外観面の周囲がすり鉢状になるように外装貫通穴斜面１１２が設けられている。
【００２０】
ＬＥＤ１９２はフレキシブル基板１９３に実装されており、ベース部材１９４により無線ランプ窓１９１と共に保持される。無線ランプ部１９では以上の構成により、フレキシブル基板１９３から電力を供給されたＬＥＤ１９２の発した光線が無線ランプ窓１９１を透過して撮像装置1筐体の外に照射される。また、無線ランプ窓１９１の外観面を外装部材１１の外観面から一段凹ませたことにより、無線ランプ窓１９１の水平方向への光線照射を防いでいる。
【００２１】
図１(a)〜(f)は撮像装置1の使用者がグリップ部１２で筐体を保持し、それぞれ正位置で構えた場合、グリップが下の縦位置で構えた場合、グリップが上の縦位置に構えた場合に対し、左右どちらかの眼で接眼窓部１５に接眼した状態の模式図である。
【００２２】
図１（a）は使用者が撮像装置1の筐体をグリップ部１２で保持して正位置で構え、接眼窓部１５内に表示された被写体像を確認するために、右眼で接眼窓部１５に接眼した状態である。この構え方では左眼は無線ランプ部１９に近接する。ゆえに、この状態で無線ランプ部１９を点灯させる場合には、使用者が眩しく感じないよう、使用者の左眼に入光する光線を減ずる必要が有る。
【００２３】
本実施形態では図２の説明で述べたように、無線ランプ窓１９１の外観面を外装部材１１の外観面から一段凹ませた構成により、使用者の左眼方向に向かう光線成分を外装部材１１で遮っている。また、使用者が無線ランプ部１９を確認するために、右眼を接眼窓部１５から離し、撮像装置1筐体の天面を斜め上から眺める位置関係に置いては、外装貫通穴斜面１１２を設けたことにより、無線ランプ窓１９１から使用者の両眼に向かう光線量は十分に確保される。
【００２４】
図１(a)以外に通常考えられる、撮像装置１筐体の構え方図１(b)〜(f)についても説明する。図１(b)は使用者が撮像装置1の筐体をグリップ部１２で保持して正位置で構え、左眼で接眼窓部１５に接眼した状態の模式図である。この構え方では使用者の右眼は無線ランプ部１９とは接眼窓部１５を挟んで反対側に位置するため、無線ランプ部１９の発光が眩しく感じられることは無い。
【００２５】
図１(c) は使用者が撮像装置1の筐体をグリップ部１２で保持し、グリップ部１２が下側に来るように縦位置で構え、右眼で接眼窓部１５に接眼した状態の模式図である。この構え方では使用者の左眼は撮像装置1筐体の背面で塞がれるため、無線ランプ部１９の発光が眩しく感じられることは無い。
【００２６】
図１(d) は使用者が撮像装置1の筐体をグリップ部１２で保持し、グリップ部１２が下側に来るように縦位置で構え、左眼で接眼窓部１５に接眼した状態の模式図である。この構え方では無線ランプ部１９は使用者の右眼よりも高い位置にあり、無線ランプ窓１９１から発せられる光線が顔面上の眉周囲の盛り上がりによって遮られるため、無線ランプ部１９の発光が眩しく感じられることは無い。
【００２７】
図１(e)は使用者が撮像装置1の筐体をグリップ部１２で保持し、グリップ部１２が上側に来るように縦位置で構え、右眼で接眼窓部１５に接眼した状態の模式図である。この構え方では使用者の左眼に対し無線ランプ部１９が右下に位置するため、前記無線ランプ窓１９１から発せられ、左目に向かう光線を遮るものが無く、使用者が眩しく感じる可能性が高い。
【００２８】
図１(f)は使用者が撮像装置1の筐体をグリップ部１２で保持し、グリップ部１２が上側に来るように縦位置で構え、左眼で接眼窓部１５に接眼した状態の模式図である。この構え方では使用者の右眼は撮像装置1筐体の背面で塞がれるため、無線ランプ部１９の発光が眩しく感じられることは無い。
【００２９】
以上、図１（a）〜（f）の撮像装置１の筐体の構え方の中で、何の発明的工夫も行わなければ、図１(e)の構え方は他の構え方に比べて、突出して無線ランプ部１９の発光が使用者にとって眩しく感じられる。
【００３０】
そこで、まず本実施形の撮像装置1は前述したジャイロセンサー２０を利用した撮像装置1筐体の姿勢検出結果から、撮像装置1筐体が図１（a）〜（f）のどの姿勢で構えられているかの判定を行う。そして、撮像装置1筐体が、グリップ部１２が上側に来る縦位置で構えられた図１(e）(f)の状態にあると判断された場合のみ、ＬＥＤ１９２の点灯時に、ＬＥＤ１９２の発光量は光量制御手段により通常点灯時より抑制される。ＬＥＤ１９２の光量制御手段には、フレキシブル基板１９３からＬＥＤ１９２に供給される電力を下げ、ＬＥＤ１９２の発光量を下げる、消灯する、点滅周期を変える等の手段を用いればよい。
【００３１】
以上に記述した本実施形の撮像装置1の使用時におけるＬＥＤ１９２の発光制御方法をまとめると、フローチャート図４のようになる。
【００３２】
まずＳＴＥＰ１で接眼窓部１５内に被写体像を表示して撮影を行うモードに設定されていると判定し、ＳＴＥＰ２で無線通信装置１７が稼動していると判定された場合にＳＴＥＰ３にて無線ランプ部１９を点灯させる。さらにＳＴＥＰ４にて撮像装置１筐体が縦位置かつグリップ部１２が上になる姿勢で構えられていると判定した場合に、ＳＴＥＰ５にて無線ランプ部１９の減光制御を行う。
【００３３】
以上の構成とフローでＬＥＤ１９２の発光制御を行うことで、無線ランプ部１９は無線通信装置１７の稼働状況を通知する機能を十分に果たし、尚且つ使用者が眩しく感じないよう限られた姿勢で筐体が構えられた時のみ発光量が抑制される。
【００３４】
［実施例２］
以下、本発明の第２の実施例による撮像装置1について説明する。図５は第２の実施例による撮像装置1の接眼窓部１５を示す図である。
【００３５】
本発明の第２の実施例による撮像装置1の筐体構成は、第１の実施例による撮像装置1の筐体と同等な構成であって、尚且つ接眼窓部１５の周囲には接眼された使用者の眼が右眼か左眼かを判断する、接眼左右判定装置１５１が配置されている。接眼左右判定装置１５１は撮像手段を有し、接眼窓部１５に接眼された眼球の虹彩の画像を取得し、撮像装置1内に予め登録されている、使用者の右眼、左眼の虹彩データと比較して接眼されている眼球の左右を判定する。
【００３６】
接眼左右判定装置１５１の構成は前記構成の他に、接眼部の外側にある眼球の位置を検出し、左右どちらの眼球が接眼されているかを判定する構成としてもよい。撮像装置1は接眼中の眼球の左右の判定結果と、筐体の姿勢検出結果から、グリップ部１２が上側の縦位置に構えられ、尚且つ使用者が右眼で接眼している図１(e)の状態にあると判定された場合のみ、ＬＥＤ１９２点灯時の発光量は光量制御手段により通常点灯時より抑制される。
【００３７】
以上の制御により、無線ランプ部１９は無線通信装置１７の稼働状況を通知する機能を十分に果たし、尚且つ使用者が眩しく感じないよう限られた姿勢で筐体が構えられた時のみ発光量の抑制が行われる。
【００３８】
［実施例３］
本発明の第３の実施例による撮像装置1の筐体は第1の実施例もしくは第２の実施例による撮像装置と同等の筐体構成をとる。さらに、撮像装置1の筐体が前記特定の構え方で構えられていると判定された場合に、撮像装置1の特定の操作をトリガーとしてＬＥＤ１９２点灯時の発光量の抑制を行う。
【００３９】
特定の操作とは、例えば撮影指示釦１３の第一のストローク押下による合焦操作で、この操作が成された後、予め定められた時間が経過するまでの間のみＬＥＤ１９２点灯時の発光量が抑制される。他にも天面操作部材群１４の操作による測光操作、表示装置１６の非表示操作に合わせて、ＬＥＤ１９２の発光量を制御しても良い。
【００４０】
以上、無線ランプ部１９は無線通信装置１７の稼働状況を通知する機能を十分に果たし、尚且つ使用者が眩しく感じないよう、限られた姿勢で筐体が構えられ、かつ限られたタイミングのみ発光量の抑制が行われる。
【００４１】
［実施例４］
第1の実施例で撮像装置1の筐体が前記特定の構え方で構えられていると判定された場合であっても、接眼部窓部１５への接眼が少ない、三脚に撮像装置1が取り付けられた状態ではＬＥＤ１９２点灯時の発光量の抑制を行う効果は少ない。
【００４２】
そこで、本発明の第４の実施例の撮像装置１は第1の実施例による撮像装置１と同等の構成をとるが、筐体が三脚に取り付けられているか判定する三脚検知装置２１１を有し、筐体が三脚に取り付けられていると判断した場合には、発光量の抑制を行わない。三脚検知装置２１１の三脚検知手段には公知であるジャイロセンサー２０による撮像装置1筐体の角速度の値から筐体が固定されているか判定する手段を取れば良い。
【００４３】
以上、本発明の好ましい実施形態１〜４について説明したが、本発明はこれらの実施形態に限定されず、その要旨の範囲内で種々の変形及び変更が可能である。
【符号の説明】
【００４４】
１     撮像装置
１３   撮影指示釦
１５   接眼窓部
１９   無線ランプ部
２０   ジャイロセンサー
１５１ 接眼左右判定装置
【図１】
2018077369.tif 000003
【図２（ａ）】
2018077369.tif 000004
【図２（ｂ）】
2018077369.tif 000005
【図３】
2018077369.tif 000006
【図４】
2018077369.tif 000007
【図５】
2018077369.tif 000008